(57)【要約】【課題】装置の表示部面積が小さい場合においても、目的の音楽アルバムを簡単容易に選択できるオーディオ再生装置を提供する。【解決手段】記録媒体から再生曲順リストを読み込み、表示部に「アーティスト」「アーティスト−アルバム」「アルバム」「ジャンル」を表示する。利用者は操作部から、たとえば「アーティスト−アルバム」を選択し、アーティスト名の先頭１文字を入力すると、一致するアーティストを全部表示され、目的のアーティストを選択すると、そのアーティストの演奏するアルバムが全て表示され、目的のアルバムを指定し、ついで指定されたアルバムの再生曲順リストを選択することで再生が開始される。【選択図】図２
2005071548.tif 000002
【特許請求の範囲】
【請求項１】
音楽データ、この音楽データが属するアルバム名とこの音楽データを演奏するアーティスト名を含む音楽情報、およびこの音楽データを所定の順序で再生する再生曲順リストを記録した記録媒体を再生可能な再生手段と、
前記記録媒体に記録された音楽情報に基づき目的のアルバムを演奏するアーティストを指定した後、そのアーティストが演奏するアルバムの中から目的のアルバムの指定を行い、指定されたアルバムの再生曲順リストを選択する選択手段と、
前記選択手段で選択された再生曲順リストに従って音楽データを再生する制御手段とを備えたことを特徴とするオーディオ再生装置。
【請求項２】
前記選択手段は、利用者が音楽情報の少なくとも先頭１文字を入力し、同一の文字を先頭に持つ音楽情報を検索して目的の再生曲順リストを選択することを特徴とする請求項１記載のオーディオ再生装置。
【発明の詳細な説明】
【技術分野】
【０００１】
本発明は、音楽情報と再生曲順リストを利用して好みの順序で曲を再生できるオーディオ再生装置に関するものである。
【背景技術】
【０００２】
近年、ディジタル音楽データを圧縮する方法が開発されると共に、ＣＤ−Ｒ、半導体メモリー、ハードディスクなどの記録媒体に圧縮して記録された音楽データを再生する装置が開発されている。音楽データを圧縮する方法の１つであるＭＰＥＧ１レイヤー３（通称ＭＰ３）では、音楽データを１０分の１程度に圧縮することが多く、１枚のＣＤ−Ｒにたとえば１５０曲以上の音楽を記録することができる。
【０００３】
特許文献１の特開２００２−２３７７１号公報には、ＭＰＥＧ３形式（原文のまま）で圧縮記録した音楽の中から、音楽情報をアーティスト別もしくはジャンル別に並べ替え、特定のアーティストやジャンルの音楽を再生する再生装置が開示されている。
【０００４】
また、近年、パーソナル・コンピュータを利用して、音楽情報と再生曲順リストが記録された記録媒体を作成し、これを用いて再生する方法や装置が開発された。このような装置においては、作成された再生曲順リストを簡単に選択することが要求される。
【０００５】
図３は従来のオーディオ再生装置のブロック図を示すものである。図３において、再生手段１は、たとえばＣＤやＣＤ−Ｒなどの記録媒体の信号を読み取る信号読取部２、信号読取部２により読み取られた信号からオーディオ信号を抽出し変換して出力する再生信号出力部３、信号読取部２により読み取られた信号から音楽情報と再生曲順リストを抽出し変換して出力する音楽情報・再生曲順リストデコーダ４、信号読取部２を制御する信号読取制御部５により構成される。
【０００６】
制御手段６は、信号読取制御部５に再生の指示を行い、音楽情報・再生曲順リストデコーダ４からの情報を解析し、表示部１２に装置の動作状況を出力し、操作部１３の操作を検出するシステムコントローラ７により構成される。
【０００７】
選択手段８は、操作部１３によって利用者が指定した再生曲順リストを選択する再生曲順リスト選択部９により構成される。
【０００８】
その他、装置の動作状況を表示する表示部１２、利用者が操作を入力する操作部１３により構成されている。
【０００９】
図４は従来のオーディオ再生装置の選択手段８の動作を示すフローチャートで、目的の再生曲順リストを選択する処理を表している。
【００１０】
まず、ステップＳ４０１で記録媒体を装置に挿入し再生曲順リストの選択が開始されると、ステップＳ４０２で再生曲順リストを読み込む。そして、ステップＳ４０３で「アーティスト」、「アルバム」、「ジャンル」の再生曲順リストを選択するための選択項目を表示部１２に表示する。利用者は、ステップＳ４０４で表示された選択項目の中から所望の選択項目を指定する。その後、指定された選択項目別の再生曲順リストの名称を全て表示する。例えば、ステップＳ４０４で「アルバム」が指定された場合は、ステップＳ４２１でアルバム別再生曲順リストの名称を全て表示する。この時、装置の表示部１２の面積が小さく、全ての再生曲順リストの名称を一度に表示できない場合は、数回に分けて順次表示する。
【００１１】
利用者は、ステップＳ４２２で、表示されたアルバム別再生曲順リストの名称の中から目的のアルバムを指定する。その後、ステップＳ４２３で指定されたアルバムの再生曲順リストを選択し、ステップＳ４２４で選択された再生曲順リストに従って音楽を再生する。選択項目としてステップＳ４０４で「アーティスト」、「ジャンル」が指定された場合も同様の処理を行う。
【特許文献１】特開２００２−２３７７１号公報
【発明の開示】
【発明が解決しようとする課題】
【００１２】
このようなオーディオ再生装置においては、作成された再生曲順リストを簡単に選択することが要求される。通常、記録媒体には１つのジャンルに対して複数のアーティストが存在し、１人のアーティストに対して複数のアルバムが存在する。従って、通常、アルバム別の再生曲順リストが最も多く記録されている。
【００１３】
ところが、利用者がアルバム名を明確に覚えていない場合や、「ベスト・セレクション」、「ベスト・コレクション」等の類似のアルバム名が記録媒体に複数記録されている場合がある。このような場合、記録媒体に記録された多数のアルバム名が表示されると利用者が困惑し、目的のアルバムを選択するのが困難になる。特に装置の表示部面積が小さい場合、記録媒体に記録された全てのアルバム名を一度に表示できず、数回に分けて順次表示するため、さらに目的のアルバムを選択することが困難になるという問題がある。
【００１４】
本発明は、装置の表示部面積が小さい場合においても、目的のアルバムを簡単に選択することができるオーディオ再生装置を提供することを目的としてなされたものである。
【課題を解決するための手段】
【００１５】
この課題を解決するために本発明のオーディオ再生装置は、音楽データ、この音楽データが属するアルバム名とこの音楽データを演奏するアーティスト名を含む音楽情報、およびこの音楽データを所定の順序で再生する再生曲順リストとを記録した記録媒体を再生可能な再生手段と、前記記録媒体に記録された音楽情報に基づき目的のアルバムを演奏するアーティストを指定した後、そのアーティストが演奏するアルバムの中から目的のアルバムの指定を行い、指定されたアルバムの再生曲順リストを選択する選択手段と、前記選択手段で選択された再生曲順リストに従って音楽データを再生する制御手段とを備えたものである。
【００１６】
また、本発明のオーディオ再生装置は、上記の構成において、前記選択手段は、利用者が音楽情報の少なくとも先頭１文字を入力し、同一の文字を先頭に持つ音楽情報を検索して目的の再生曲順リストを選択することを特徴とするものである。
【発明の効果】
【００１７】
本発明のオーディオ再生装置によれば、装置の表示部面積が小さい場合においても、目的のアルバムを簡単容易に選択することができる。
【発明を実施するための最良の形態】
【００１８】
以下本発明の実施の形態について、図１から図２を用いて説明する。図１は本発明の一実施形態におけるオーディオ再生装置のブロック図、図２は同じくその再生装置において目的の再生曲順リストを取得する処理を表す選択手段の動作フローチャートを示すものである。
【００１９】
図１において、再生手段１は、記録媒体に記録されている音楽データ、音楽情報を含む信号を読み取る信号読取部２、信号読取部２により読み取られた信号からオーディオ信号を抽出し変換して出力する再生信号出力部３、信号読取部２により読み取られた信号から音楽情報と再生曲順リストを抽出し変換して出力する音楽情報・再生曲順リストデコーダ４、信号読取部２を制御する信号読取制御部５により構成される。
【００２０】
制御手段６ａは、信号読取制御部５に再生の指示を行い、音楽情報・再生曲順リストデコーダ４からの情報を解析し、表示部１２に装置の動作状況を出力し、操作部１３の操作を検出するシステムコントローラ７ａにより構成される。
【００２１】
選択手段８ａは、操作部１３によって利用者が指定した再生曲順リストを選択する再生曲順リスト選択部９、操作部１３によって利用者が入力した音楽情報の先頭１文字と同一の文字を先頭に持つ音楽情報を検索する音楽情報検索部１０、操作部１３によって利用者が入力した再生曲順リストの先頭１文字と同一の文字を先頭に持つ再生曲順リスト、もしくは音楽情報検索部１０によって検索された音楽情報と同一の名称を持つ再生曲順リストを検索する再生曲順リスト検索部１１とにより構成される。
【００２２】
その他、装置の動作状況を表示する表示部１２、利用者が操作を入力する操作部１３により構成されている。
【００２３】
以上のように構成されたオーディオ再生装置について、以下その動作を説明する。まず、ステップＳ２０１で記録媒体を装置に挿入し再生曲順リストの選択が開始されると、ステップＳ２０２で再生曲順リスト・音楽情報を読み込む。そして、ステップＳ２０３で「アーティスト」、「アーティスト−アルバム」、「アルバム」、「ジャンル」の再生曲順リストを選択するための項目を表示部１２に表示する。利用者は、ステップＳ２０４で表示された選択項目の中から所望の選択項目を操作部１３により指定する。ここで、まず、ステップＳ２０４で「アーティスト−アルバム」が指定された場合について、その動作を説明する。
【００２４】
システムコントローラ７ａは表示部１２に「アーティスト？」を表示するように指示する。利用者はステップＳ２２１で目的のアルバムを演奏するアーティスト名の先頭１文字を操作部１３により入力する。システムコントローラ７ａはこの入力された文字を音楽情報検索部１０に伝達し、音楽情報検索部１０は伝達された文字と同一の文字を先頭に持つアーティスト名を音楽情報の中から検索する。音楽情報検索部１０はこの検索されたアーティスト名をシステムコントローラ７ａに伝達し、システムコントローラ７ａはステップＳ２２２で検索された全てのアーティスト名を表示するように表示部１２に指示する。利用者はステップＳ２２３で表示されたアーティスト名の中から、目的のアルバムを演奏するアーティストを操作部１３により指定する。
【００２５】
次に、システムコントローラ７ａは、ステップＳ２２４で、表示部１２に、上記指定されたアーティストが演奏するアルバム名を全て表示するように指示する。利用者はステップＳ２２５で、表示されたアルバム名の中から、目的のアルバムを操作部１３により指定する。
【００２６】
再生曲順リスト検索部１１は、ステップＳ２２６で、上記指定されたアルバム名と同一名称の再生曲順リストを検索し選択する。
【００２７】
システムコントローラ７ａは、ステップＳ２２７で、上記選択された再生曲順リストに従って音楽を再生するように信号読取制御部５に指示を行う。
【００２８】
ステップＳ２０４で「アーティスト」を選択した場合、システムコントローラ７ａは表示部１２に「アーティスト？」を表示するように指示する。利用者はステップＳ２１１で目的のアルバムを演奏するアーティスト名の先頭１文字を操作部１３により入力する。システムコントローラ７ａはこの入力された文字を音楽情報検索部１０に伝達し、音楽情報検索部１０は伝達された文字と同一の文字を先頭に持つアーティスト名を音楽情報の中から検索する。音楽情報検索部１０は検索されたアーティスト名をシステムコントローラ７ａに伝達し、システムコントローラ７ａはステップＳ２１２で検索された全てのアーティスト別再生曲順リストの名称を全て表示するように表示部１２に指示する。利用者はステップＳ２１３で表示されたアーティスト名の中から、目的のアーティストを操作部１３により指定する。次に再生曲順リスト検索部１１はステップＳ２１４で、上記指定されたアーティストの再生曲順リストを検索し選択する。システムコントローラ７ａは、ステップＳ２１５で、選択された再生曲順リストに従って音楽を再生するように信号読取制御部５に指示を行う。
【００２９】
ステップＳ２０４で「アルバム」を選択した場合、ステップＳ２３１でアルバム別再生曲順リストの名称を全て表示部１２に表示し、ステップＳ２３２で操作部１３を操作して目的のアルバムを指定し、続けてステップＳ２３３で指定されたアルバムの再生曲順リストを選択し、ステップＳ２３４で再生を開始する。
【００３０】
同様にステップＳ２０４で「ジャンル」を選択した場合、ステップ２４１でジャンル別再生曲順リストの名称を全て表示部１２に表示し、ステップＳ２４２で、操作部１３により目的のジャンルを指定し、ステップＳ２４３で指定されたジャンルの再生曲順リストを選択し、ステップＳ２４４で再生を開始する。
【００３１】
以上のように本実施形態によれば、目的のアルバムを演奏するアーティストを選択した後に目的のアルバムを選択するため、アルバムを選択するときに記録媒体に記録された全てのアルバム名が表示されることを防止し、また、アーティストを先頭１文字で検索して選択するため、全てのアーティストが表示されることを防止し、装置の表示部面積が小さい場合においても、目的のアルバムを簡単に選択することができることとなる。
【００３２】
なお、記録媒体としてはＣＤ−Ｒ、光磁気ディスク、半導体メモリ、ハードディスク等、音楽データを圧縮して、この音楽が属するアルバム名、およびこの音楽を演奏するアーティスト名を含む音楽情報と、前記音楽を所定の順序で再生する再生曲順リスト等を併せて記録できるものであれば何であっても差し支えない。
【００３３】
また、選択手段８ａは、アーティスト名の先頭１文字の入力により選択するということで説明したが、アルバム名の先頭１文字やジャンル別の先頭１文字を入力することにより選択するようにしてもよい。
【００３４】
さらに先頭１文字に続けて２文字目以後を入力しても差し支えない。
【産業上の利用可能性】
【００３５】
以上のように本発明によれば、装置の表示部面積が小さい場合においても、目的のアルバムを簡単容易に選択することができ、産業上の利用可能性は大きい。
【図面の簡単な説明】
【００３６】
【図１】本発明の一実施形態におけるオーディオ再生装置のブロック図
【図２】同じくそのオーディオ再生装置において目的の再生曲順リストを取得する処理を表す選択手段の動作フローチャート
【図３】従来のオーディオ再生装置のブロック図
【図４】従来のオーディオ再生装置の選択手段の動作フローチャート
【符号の説明】
【００３７】
１    再生手段
２    信号読取部
３    再生信号出力部
４    音楽情報・再生曲順リストデコーダ
５    信号読取制御部
６ａ    制御手段
７ａ    システムコントローラ
８ａ    選択手段
９    再生曲順リスト選択部
１０    音楽情報検索部
１１    再生曲順リスト検索部
１２    表示部
１３    操作部
【図１】
2005071548.tif 000003
【図２】
2005071548.tif 000004
【図３】
2005071548.tif 000005
【図４】
2005071548.tif 000006